(57)【要約】【課題】ロール紙カバーの開閉に伴うロール紙の挟みこみを防止する【解決手段】ロール体Ｒのセット部には、カバー３２が設けられている。カバー３２は、回動支点を中心に回動することにより、セットされたロール体Ｒの上部領域を覆う閉状態と、当該閉状態から装置後方に向けて回動することにより前記上部領域を開放する開状態とを取り得るように設けられる。カバー３２は、開状態においてその後端３２ａとフレーム３０との間で隙間を形成するが、この隙間からのロール紙先端の飛び出しを防止する飛び出し防止部材３１が設けられており、これによりカバー３２によるロール紙の挟み込みが防止される。【選択図】図６
2010099948.tif 000002
【特許請求の範囲】
【請求項１】
被記録媒体に記録を行う記録部と、
被記録媒体が巻かれて成るロール体を回転可能に支持するロール体セット部と、を備えた記録装置であって、
回動支点を中心に回動することにより、前記ロール体の上部領域を覆う閉状態と、当該閉状態から前記記録装置の後方側に向けて回動することにより前記上部領域を開放する開状態と、をとり得るロール体カバーと、
前記ロール体カバーが前記閉状態をとる際に前記ロール体の後方側に形成される隙間からの被記録媒体先端の飛び出しを防止する飛び出し防止部材と、
を備えたことを特徴とする記録装置。
【請求項２】
請求項１に記載の記録装置において、前記飛び出し防止部材は、可撓性を備えていることを特徴とする記録装置。
【請求項３】
請求項１または２に記載の記録装置において、前記飛び出し防止部材を取り付ける取付部は、前記記録装置の後部に設けられていることを特徴とする記録装置。
【請求項４】
請求項３に記載の記録装置において、前記飛び出し防止部材を取り付ける取付部に対し、正規の取付姿勢から外れた姿勢での当該飛び出し防止部材の取り付けを阻害する取付姿勢規制手段を備えている、
ことを特徴とする記録装置。
【発明の詳細な説明】
【技術分野】
【０００１】
本発明は、被記録媒体が巻かれて成るロール体（例えばロール紙）をセット可能な、ファクシミリやプリンタ等に代表される記録装置に関する。
【背景技術】
【０００２】
ファクシミリやプリンタ等に代表される記録装置においては、被記録媒体としてロール紙が用いられることがあり、ロール紙本体、即ちロール紙が巻かれて成るロール体を支持するセット部には、特許文献１に示されるようなカバーが設けられることがある。
【特許文献１】特開２００１−１３００９７号公報
【発明の開示】
【発明が解決しようとする課題】
【０００３】
特許文献１に示されるロール紙カバーは、プリンタ後方側にロール紙カバーを開いた際に大きなスペースを確保することを防止すべく、セットされたロール体の軸心とほぼ同じ位置に回動中心を配置している。これによりロール紙カバーは、開いた状態においてプリンタ後方側に大きな領域を占有せず、プリンタ設置スペースの節約が図られている。
【０００４】
図７（Ａ）、（Ｂ）はセットされたロール紙の軸心に近い位置に回動中心を有するロール紙カバーの側断面図を示すものであり、（Ａ）はカバー閉状態を、（Ｂ）はカバー開状態を示しており、図中符号Ｐはロール紙を、符号Ｒはロール紙Ｐが巻き取られたロール体を、符号５０はロール紙カバーを、それぞれ示している。また符号Ｃ１はロール体Ｒの回転中心位置を、符号Ｃ２はロール紙カバー５０の回動中心位置を、それぞれ示している。
【０００５】
図７（Ａ）に示すようにロール紙カバー５０はセットされたロール体Ｒの回転中心Ｃ１に近い位置に回動中心Ｃ２を有しており、これにより図７（Ｂ）に示すように開状態となっても、装置後方側（同図左側）に大きなスペースを必要としない。
【０００６】
ところで、カバー閉状態においては図７（Ａ）に示すように、ロール体Ｒの後方側に、ロール紙カバー５０の後端５０ａとフレーム３０との間に隙間Ｗが形成される為、ロール紙Ｐの先端がこの隙間Ｗから外側に飛び出る場合がある。尚、この様な隙間Ｗを形成することを避けるべく閉状態においてロール紙カバー５０の後端５０ａがより下方に位置するよう形成することも考えられるが、この場合ロール紙カバー５０を開放すると後端５０ａの退避領域をロール体Ｒの下方に大きく確保する必要が生じる為、好ましくない。
【０００７】
そして、上記の様にロール紙Ｐの先端が飛び出た状態のままロール紙カバー５０を開放すると、図７（Ｂ）に示すようにロール紙Ｐがロール紙カバー５０の後端５０ａとフレーム３０との間で挟み込まれてしまう虞がある。この様な挟み込みは装置後方側で発生する為、プリンタ前方側にいるユーザには気が付き難く、従ってこの様な挟み込みが生じたままロール体Ｒがモータなどにより回転駆動されて、装置の破損を招く虞がある。
【０００８】
そこで本発明はこのような状況に鑑みなされたものであり、その目的は、ロール紙カバーの開閉に伴うロール紙の挟みこみを防止することにある。
【課題を解決するための手段】
【０００９】
上記課題を解決するために、本発明の第１の態様は、被記録媒体に記録を行う記録部と、被記録媒体が巻かれて成るロール体を回転可能に支持するロール体セット部と、を備えた記録装置であって、回動支点を中心に回動することにより、前記ロール体の上部領域を覆う閉状態と、当該閉状態から前記記録装置の後方側に向けて回動することにより前記上部領域を開放する開状態と、をとり得るロール体カバーと、前記ロール体カバーが前記閉状態をとる際に前記ロール体の後方側に形成される隙間からの被記録媒体先端の飛び出しを防止する飛び出し防止部材とを備えたことを特徴とする。
【００１０】
本態様によれば、ロール体カバーを備えた記録装置において、ロール体の後方側に形成される隙間からの被記録媒体先端の飛び出しを防止する飛び出し防止部材を設けたので、ロール体から解かれた被記録媒体の先端が装置後方側に飛び出ることを防止でき、ひいてはロール体カバーによる被記録媒体の挟み込みを確実に防止することができる。
【００１１】
本発明の第２の態様は、第１の態様において前記飛び出し防止部材は、可撓性を備えていることを特徴とする。本態様によれば、前記飛び出し防止部材が可撓性を備えているので、ロール体の回転に伴い被記録媒体先端が前記飛び出し防止部材に強く当接しても、被記録媒体先端へのダメージ付与を防止或いは緩和できる。
【００１２】
本発明の第３の態様は、第１のまたは第２の態様において、前記飛び出し防止部材を取り付ける取付部は、前記記録装置の後部に設けられていることを特徴とする。本態様によれば、前記飛び出し防止部材を作業性容易に取り付けることができる。
【００１３】
本発明の第４の態様は、第３の態様において、前記飛び出し防止部材を取り付ける取付部に対し、正規の取付姿勢から外れた姿勢での当該飛び出し防止部材の取り付けを阻害する取付姿勢規制手段を備えていることを特徴とする。本態様によれば、上記取付姿勢規制手段により、ユーザが上記飛び出し防止部材を取り付ける場合であっても確実に正しい状態に取り付けることができる。
【発明を実施するための最良の形態】
【００１４】
以下、図面を参照しながら本発明の実施形態について説明する。図１及び図２は本発明に係る「記録装置」の一実施形態としてのインクジェットプリンタ（以下「プリンタ」と言う）１の外観斜視図であり、図１はロール体Ｒのセット状態を、図２はロール体Ｒの未セット状態を示す図である。また図３は同要部側面図、図４はロール紙カバー（ロール体カバー：以下「カバー」と略称する）３２及び飛び出し防止部材３１の斜視図、図５は飛び出し防止部材３１の取付構造を示す要部拡大斜視図、図６（Ａ）、（Ｂ）はカバー３２の側断面図である。
【００１５】
先ず、図１乃至図３を参照しながらプリンタ１の構成について概説する。プリンタ１は、例えばＪＩＳ規格のＡ０判やＢ０判などといった大型サイズの幅を有する被記録媒体としてのロール紙Ｐにまで記録できる大型プリンタであり、ロール紙供給部３及び記録実行部４を備えた本体部２と、本体支持部（排紙受け部）５とを備えて構成されている。
【００１６】
本体部２は、ベース９及び当該ベース９に立設された支柱８を備えて成る本体支持部５の上部に設けられており、記録の行われたロール紙Ｐを斜め下方に排出する排出口６を有している。排出口６の下方にはスタッカ７が位置しており、記録の行われたロール紙Ｐが排出口６から下方に向けて排出され、スタッカ７によって受け止められる。
【００１７】
ロール体をセットするセット部としてのロール紙供給部３は、ロール紙Ｐが巻かれて成るロール体（以下「ロール」と言う）Ｒが、開閉自在なカバー３２の内側にセット可能に構成され、セットされたロール体Ｒから解かれたロール紙Ｐが、記録を実行する記録実行部４へと斜め下方へ供給される。
【００１８】
図３において符号２０（１９）はロール体Ｒの端部に装着されるフランジ（後述）を示しており、このフランジを介して、ロール体Ｒがロール紙供給部３に支持される。ロール紙供給時には、ロール紙供給部３が備える駆動モータ２７（図４）によりロール体Ｒが回転駆動されることにより当該ロール体Ｒからロール紙Ｐが解かれ、そして解かれたロール紙Ｐが案内部材１０により案内されながら下流側に供給される。また、駆動モータ２７が逆転駆動されることにより、巻き解かれたロール紙Ｐが再び巻き取られるようになっている。
【００１９】
記録実行部（記録手段）４は、ロール紙Ｐに対しインクを吐出する記録手段としての記録ヘッド１３と、記録ヘッド１３と対向配置される案内部材１１と、記録ヘッド１３の上流側に設けられ、ロール紙Ｐを下流側へ搬送する搬送駆動ローラ１５及び搬送従動ローラ１６と、を有している。
【００２０】
搬送駆動ローラ１５は図示しないモータにより回転駆動され、搬送従動ローラ１６は搬送駆動ローラ１５に向けてロール紙Ｐを押圧しつつ従動回転する様設けられ、これらローラにより、ロール紙Ｐが下流側へと精密送りされる。
【００２１】
ロール紙Ｐに対しインクを吐出することにより記録を行う記録ヘッド１３はキャリッジ１２に設けられ、キャリッジ１２は、記録ヘッド１３の走査方向（主走査方向：図３の紙面表裏方向）に延びるガイド軸１４によってガイドされながら、図示しないモータの動力を受けて主走査方向に移動する。
【００２２】
記録ヘッド１３の下流側には、図示を省略する用紙吸引部が設けられており、この用紙吸引部によって記録ヘッド１３の下流側においてロール紙Ｐが浮き上がらないように規制状態に置かれ、ロール紙Ｐの浮き上がりによる記録品質の低下が防止されるようになっている。
【００２３】
以上がプリンタ１の大略構成であり、続いて以下ではロール紙供給部３について更に詳説する。ロール紙供給部３は可動側ホルダ４０、仮置き部２１、カバー３２、飛び出し防止部材３１、駆動軸２６、従動軸２９、のこれら及び、図示しない構成要素を備えている。
【００２４】
仮置き部２１は、ロール体Ｒをセットする前に一時的に載置する場所である。即ちプリンタ１は上述の通りＪＩＳ規格のＡ０判やＢ０判などといった大型サイズの幅を有するロール紙Ｐにまで記録できる大型プリンタであり、ロール体Ｒの重量が極めて重いものとなる場合がある。
【００２５】
従って仮置き部２１をセット位置より手前側に設けることにより、ロール体Ｒを床などの低い位置からセット位置にまで直接移動させる必要がなく、ロール体Ｒセット作業の際の負担を軽減させることができる様になっている。
【００２６】
次に、ロール体Ｒにおいて装置右側には固定側フランジ２０が、装置左側には可動側フランジ１９が、それぞれ装着されており、固定側フランジ２０に形成された軸孔（図示省略）に駆動軸２６が、可動側フランジ１９に形成された軸孔（図示省略）に従動軸２９が、それぞれ嵌合することにより、ロール体Ｒが回転可能に支持される。
【００２７】
尚、従動軸２９は可動側ホルダ２８に設けられており、この可動側ホルダ２８はロール体Ｒの長さ方向にスライド移動可能に、且つ図示を省略するロック装置によりその位置を固定可能に設けられている。
【００２８】
従ってロール体Ｒのセット時には、可動側ホルダ２８を、セットするロール体Ｒの長さに対してやや余裕を持った位置に退避させておき、ロール体Ｒを仮置き部２１から装置後方側に転がして移動させた後、可動側ホルダ２８を固定側（右側）に移動させ、駆動軸２６及び従動軸２９のこれら軸を固定側フランジ２０及び可動側フランジ１９のそれぞれの軸孔に嵌合させる。これにより、ロール体Ｒが図１に示すようなセット状態となる。
【００２９】
続いて、カバー３２及び飛び出し防止部材３１について説明する。カバー３２は、略半円筒の形状を成しており、図１及び図２に示すようにロール体Ｒのセット領域全体を覆うことが可能な様に十分な長さ（ロール体Ｒの回転軸線方向長さ）に形成されている。
【００３０】
尚、符号３３はカバー３２を補強する金属プレートであり、即ちカバー３２はＪＩＳ規格のＡ０判やＢ０判などといった大型サイズの幅を有するロール体Ｒを覆うことが可能な様に長尺に形成されており中央部が撓み易い為、金属プレート３２により補強がされている。
【００３１】
このカバー３２は、回動支点を中心に回動することにより、セットされたロール体Ｒの上部領域を覆う閉状態（図６（Ａ））と、当該閉状態から装置後方（図６において左方向）に向けて回動することにより前記上部領域を開放する開状態（図６（Ｂ））と、を取り得るように設けられており、その回動中心は図６（Ａ）、（Ｂ）において符号Ｃ２で示される。尚、符号Ｃ１はロール体Ｒの回転中心である。
【００３２】
カバー３２は、図６（Ａ）に示すように開状態においてその後端３２ａとフレーム３０との間で隙間を形成するが、この隙間からのロール紙先端の飛び出しを防止する飛び出し防止部材３１が設けられている。
【００３３】
この飛び出し防止部材３１は、側面視において図６に示すようにロール体Ｒの外形形状に沿った円弧状の形状を成しており、樹脂材料によって可撓性を有するように形成されている。そしてこの飛び出し防止部材３１は、ロール体Ｒの幅方向に沿って所定間隔で配置されており、図４に示す様に柵状体を構成する。
【００３４】
尚、最も右側（駆動軸２６の側）に設けられた飛び出し防止部材３１（図１、図２、図４において符号３１Ａで示す）は、ロール体Ｒのセット作業を阻害しないよう配置されている。即ちロール体Ｒのセット作業時、可動側ホルダ２８を固定側に移動させた際、ロール体Ｒそれ自体も所定量固定側に移動するが、その際にロール体Ｒの縁（角部）が飛び出し防止部材３１に引っ掛からないように、最も右側の飛び出し防止部材３１Ａが、やや左寄りに配置されている。
【００３５】
この飛び出し防止部材３１は、ロール体Ｒの幅方向に延びるフレーム３０に取り付けられる。図５において符号３０ａはフレーム３０に設けられた取付部であり、この取付部３０ａの内側に形成された凹部（図示せず）に飛び出し防止部材３１に形成された凸部（図示せず）が嵌合するようになっている。飛び出し防止部材３１には、フレーム３０のフレーム面に接する平坦部３１ａが形成されており、この平坦部３１ａがフレーム３０のフレーム面に接触しつつ、上記凸部が上記凹部に嵌合することで、飛び出し防止部材３１が取付状態となる。
【００３６】
尚、フレーム３０は図６に示すようにロール体Ｒの後方下部を所定高さまで覆っており、これにより後方側からユーザが安易にロール体Ｒの下部に手を差し入れることができないよう、一定の安全性が担保されている。
【００３７】
また、図５において符号３１ｂは飛び出し防止部材３１が正規の取付姿勢から外れた姿勢で取り付けられようとする際にそれを阻害する取付姿勢規制部を示しており、この取付姿勢規制部３１ｂは平坦部３１ａに対して所定の傾斜角を有するように形成されている。従って例えば、飛び出し防止部材３１が逆向きに取り付けられようとするとき、この取付姿勢規制部３１ｂがフレーム３０のフレーム面に当接し、これにより飛び出し防止部材３１の凸部（図示せず）が取付部３０ａの凹部（図示せず）に嵌合することができない様になっている。
【００３８】
以上説明したようにプリンタ１は、カバー３２が閉状態をとる際にロール体Ｒの後方側に形成される隙間からのロール紙先端の飛び出しを防止する飛び出し防止部材３１を備えているので、ロール体Ｒから解かれたロール紙Ｐの先端がカバー後方側に飛び出ることを防止でき、これによりカバー３２によるロール紙Ｐの挟み込みを確実に防止することができるようになっている。
【００３９】
また、飛び出し防止部材３１が可撓性を備えているので、ロール体Ｒの回転に伴いロール紙Ｐ先端が飛び出し防止部材３１に強く当接しても、ロール紙先端へのダメージ付与を防止或いは緩和できる。
【００４０】
更に飛び出し防止部材３１を取り付ける取付部３０ａはプリンタ後部に露呈状態で設けられているので、ロール体Ｒのセット状態であっても飛び出し防止部材３１を作業性容易に取り付けることができる。加えて取付姿勢規制部３１ｂにより飛び出し防止部材３１は正規の取付姿勢から外れた姿勢での取り付けが行えないようになっている為、ユーザが飛び出し防止部材３１を取り付ける場合であっても確実に正しい状態に取り付けることができる。
【図面の簡単な説明】
【００４１】
【図１】本発明に係るプリンタの外観斜視図。
【図２】本発明に係るプリンタの外観斜視図。
【図３】本発明に係るプリンタの要部側面図。
【図４】ロール紙カバー及び飛び出し防止部材３１の斜視図。
【図５】飛び出し防止部材の取付構造を示す要部拡大斜視図。
【図６】（Ａ）、（Ｂ）はロール紙カバーの側断面図。
【図７】（Ａ）、（Ｂ）はロール紙カバーの側断面図（ロール体Ｒの後方側に形成される隙間Ｗを示す図。）
【符号の説明】
【００４２】
１  インクジェットプリンタ、２  本体部、３  ロール紙供給部、４  記録実行部、５  本体支持部（排紙受け部）、６  ロール紙排出口、７  スタッカ、８  支柱、９  ベース、１０、１１  案内部材、１２  キャリッジ、１３  記録ヘッド、１４  ガイド軸、１５  駆動ローラ、１６  従動ローラ、１９  可動側フランジ、２０  固定側フランジ、２１  仮置き部、２２  位置決めガイド、２６  駆動軸、２７  駆動モータ、２８  可動側ホルダ、２９  従動軸、３０  フレーム、３１  飛び出し防止部材、３２  ロール紙カバー、３３  金属プレート、Ｐ  ロール紙（被記録媒体）、Ｒ  ロール体
【図１】
2010099948.tif 000003
【図２】
2010099948.tif 000004
【図３】
2010099948.tif 000005
【図４】
2010099948.tif 000006
【図５】
2010099948.tif 000007
【図６】
2010099948.tif 000008
【図７】
2010099948.tif 000009